(57)【要約】      （修正有）【課題】単純な構造で、払落し性能に優れたパルスジェット式集塵機用のカートリッジフィルタの提供。【解決手段】プリーツ折りで全体を円筒状に形成されたフィルタ本体２と、フィルタ本体の上部に設けられるフィルタ上部固定部材３と、フィルタ本体の下部に設けられるフィルタ下部固定部材４と、により構成されたパルスジェット式集塵機に用いられるカートリッジフィルタ１であって、フィルタ上部固定部材３の外周部とフィルタ下部固定部材４の外周部を結ぶ垂線に対し、プリーツ折りの山部を形成する線を０．５〜２度の角度で傾斜させている集塵機用カートリッジフィルタ。【選択図】図１
2018075507.tif 000002
【特許請求の範囲】
【請求項１】
プリーツ折りで全体を円筒状に形成されたフィルタ本体と、前記フィルタ本体の上部に設けられるフィルタ上部固定部材と、該フィルタ本体の下部に設けられるフィルタ下部固定部材と、により構成されたパルスジェット式集塵機に用いられるカートリッジフィルタであって、
前記フィルタ上部固定部材の外周部と前記フィルタ下部固定部材の外周部を結ぶ垂線に対し、前記プリーツ折りの山部を形成する線が傾斜していることを特徴とする集塵機用カートリッジフィルタ。
【請求項２】
前記フィルタ上部固定部材の外周部と前記フィルタ下部固定部材の外周部を結ぶ垂線に対し、前記プリーツ折りの山部を形成する線が０．５〜２度の角度で傾斜していることを特徴とする請求項１に記載の集塵機用カートリッジフィルタ。
【発明の詳細な説明】
【技術分野】
【０００１】
本発明は、パルスジェット式集塵機に用いられるカートリッジフィルタに関するものである。
【背景技術】
【０００２】
パルスジェット式集塵機は、カートリッジフィルタ表面に堆積したダストを払い落とすために、カートリッジフィルタの上部に設けられたパルスジェット装置によりパルスエアーをカートリッジフィルタ内部に噴射する構造の集塵機である。このパルスジェット式集塵機において、フィルタ表面に堆積したダストを効率よく払い落とすために、例えば特許文献１では、フィルタ本体の内面部に頭頂部を切り取った円錐形状をしたテーパ管を設置している。パルスエアーはこのテーパ管によって分散されるため、従来よりもフィルタ内の内圧分布の偏りを緩和することができ、カートリッジフィルタの上部〜中央部に発生する負圧領域を減少させることができる。このことより、カートリッジフィルタの払い落とし効果が高まるというものである。
【先行技術文献】
【特許文献】
【０００３】
【特許文献１】特開２０１１−２４５４３９号公報
【発明の概要】
【発明が解決しようとする課題】
【０００４】
本発明の目的は、従来のカートリッジフィルタよりも単純な構造で、払落し性能に優れたパルスジェット式集塵機用のカートリッジフィルタを提供することである。
【課題を解決するための手段】
【０００５】
上記の目的を達成するために本発明のカートリッジフィルタは、プリーツ折りで全体を円筒状に形成されたフィルタ本体と、フィルタ本体の上部に設けられるフィルタ上部固定部材と、フィルタ本体の下部に設けられるフィルタ下部固定部材と、により構成されたパルスジェット式集塵機に用いられるカートリッジフィルタであって、フィルタ上部固定部材の外周部と前記フィルタ下部固定部材の外周部を結ぶ垂線に対し、前記プリーツ折りの山部を形成する線が傾斜していることを特徴とする。
【０００６】
本発明において、フィルタ上部固定部材の外周部とフィルタ下部固定部材の外周部を結ぶ垂線に対し、プリーツ折りの山部を形成する線が０．５〜２度の角度で傾斜していることを特徴とする。
【０００７】
このように構成された本発明においては、フィルタ上部固定部材の外周部とフィルタ下部固定部材の外周部を結ぶ垂線に対し、プリーツ折りの山部を形成する線が傾斜しているため、パルスジェットによりダストの払落し操作を行った時に、フィルタに捻じれを解消する動きを伴う振動が発生するため、ダストを効率よく払い落とすことが可能となる。
【発明の効果】
【０００８】
本発明のカートリッジフィルタによれば、ダストを効率よく払い落とすことが可能となる。
【図面の簡単な説明】
【０００９】
【図１】本発明における集塵機用カートリッジフィルタの外観図である。
【発明を実施するための形態】
【００１０】
本発明の集塵機用カートリッジフィルタについて、図１により説明する。本発明のカートリッジフィルタ１は、プリーツ形状のフィルタ本体２がフィルタ上部固定部材３と、フィルタ下部固定部材４とにより挟まれた円筒形状を成している。フィルタ本体２は、丸い皿状のフィルタ上部固定部材３、及び、丸い皿状のフィルタ下部固定部材４と、それぞれ接着性を有する樹脂により接合している。フィルタ上部固定部材３の中央には穴が開いており、カートリッジフィルタ１で集塵された後のガスはこの穴を抜けて外部へ排出される。
【００１１】
一般的なカートリッジフィルタは、フィルタ本体２のプリーツ折りの山部を形成する線が、プリーツフィルタ上部固定部材３の外周部とフィルタ下部固定部材４の外周部を結ぶ垂線と平行であるが、本発明のカートリッジフィルタは、フィルタ本体２のプリーツ折りの山部を形成する線が、プリーツフィルタ上部固定部材３の外周部とフィルタ下部固定部材４の外周部を結ぶ垂線に対し傾斜している。なお、フィルタ本体２のプリーツ折りの山部を形成する線が、プリーツフィルタ上部固定部材３の外周部とフィルタ下部固定部材４の外周部を結ぶ垂線に対し傾斜している角度が０．５〜２度であることが好ましく、角度が０．５度未満の場合は、一般的なカートリッジフィルタに対し有意差は認められず、角度が２度より大きい場合は、変形が過剰となりフィルタの強度劣化が問題となる。
【００１２】
次に本発明の集塵機用カートリッジフィルタを用いた場合のダストの払落しのメカニズムについて説明する。集塵機によりダストを含むガスが集塵されると、集塵機内のカートリッジフィルタの表面でダストが捕集され、時間とともに徐々にダストが堆積し、カートリッジフィルタの表面と内部の圧力差が大きくなる。この圧力差により、カートリッジフィルタには表面から内部に向かって押す力が働くが、フィルタ本体のプリーツ折りの山部を形成する線が、プリーツフィルタ上部固定部材の外周部とフィルタ下部固定部材の外周部を結ぶ垂線に対し傾斜しているため、この表面から内部に向かって押す力により傾斜を強める方向にカートリッジフィルタが捻じれるように少し動く。図１において説明すると、フィルタ上部固定部材３は、集塵機に固定されているため動かないが、フィルタ本体２がフィルタ上部固定部材３を中心として左方向に少し回転するように捻じれることとなる。
【００１３】
集塵機のフィルタ差圧が予め設定された基準値に到達すると、ダストを払い落とすためにパルスジェット装置が作動する。パルスジェットによるパルスエアーがカートリッジフィルタ内部に吹き込まれるため、内部の圧力は急激に高まりカートリッジフィルタは膨らもうとする。その際、捻じれていたカートリッジフィルタは捻じれを解消する動きをする。この捻じれを解消する動きと、膨らもうとする動きが重なり合ってカートリッジフィルタに強い振動が発生し、カートリッジフィルタの表面に堆積したダストをより多く払い落とすことができる。このようなカートリッジフィルタの動きにより、一般的なカートリッジフィルタに比べて効率的にダストの払落しを行うことができる。
【符号の説明】
【００１４】
１    カートリッジフィルタ
２    フィルタ本体
３    フィルタ上部固定部材
４    フィルタ下部固定部材
【図１】
2018075507.tif 000003